(57)【要約】【課題】容易な構成により、かつ容易な作業により電子機器に搭載された搭載部品の識別を行うことのできる方法及び搭載部品の識別が可能な電子機器を提供する。【解決手段】ＦＤＤドライブ１０のインターフェース部１８の機器機能上の空き端子である１番ピン１８ａ１と３番ピン１８ａ３の間に、回路基板２２のバージョン情報毎に異なる抵抗値を有する識別用の抵抗Ｒを内部接続しておき、１番ピン１８ａ１と３番ピン１８ａ３を介して抵抗Ｒを含む識別回路をテスタ２４で形成し、識別回路から出力される出力結果に基づいて、抵抗Ｒを判別し、その判別結果に基づいて、回路基板２２のバージョン情報を特定し回路基板２２の識別を行う。【選択図】        図２
2005038492.tif 000002
【特許請求の範囲】
【請求項１】
外部機器との接続を行うインターフェース部を有する電子機器において、当該電子機器に搭載されている搭載部品の識別を行う識別方法であって、
前記搭載部品のバージョン毎に異なる抵抗値の識別用抵抗を前記インターフェース部の機器機能上の空き端子に内部接続しておき、当該空き端子を介して前記識別用抵抗を含む識別回路を形成するテスタを接続するステップと、
前記識別回路から出力される出力結果に基づいて、前記識別用抵抗の識別を行う抵抗識別ステップと、
前記抵抗識別結果に基づいて、前記搭載部品のバージョンを特定し搭載部品識別を行う部品識別ステップと、
を含むことを特徴とする電子機器の搭載部品識別方法。
【請求項２】
請求項１記載の方法において、
前記識別用抵抗が接続された空き端子が複数存在する場合、前記抵抗識別ステップで得られる複数の抵抗の組み合わせに基づき、前記部品識別ステップは搭載部品識別を行うことを特徴とする電子機器の搭載部品識別方法。
【請求項３】
請求項１または請求項２記載の方法において、
前記部品識別ステップは、
搭載部品毎に識別結果の提示を行うことを特徴とする電子機器の搭載部品識別方法。
【請求項４】
外部機器との接続を行うインターフェース部を有する電子機器において、
前記インターフェース部の機器機能上の空き端子に前記搭載部品のバージョン毎に異なる抵抗値の識別用抵抗が内部接続されていることを特徴とする搭載部品の識別が可能な電子機器。
【請求項５】
請求項４記載の機器において、
複数の識別用抵抗の組み合わせにより搭載部品のバージョンを示すことを特徴とする搭載部品の識別が可能な電子機器。
【発明の詳細な説明】
【０００１】
【発明の属する技術分野】
本発明は、電子機器の搭載部品識別方法及び搭載部品の識別が可能な電子機器、特に、容易な構成により電子機器に搭載された搭載部品の識別を行うことができる識別方法及び識別可能な電子機器の改良に関する。
【０００２】
【従来の技術】
電子機器は、様々な部品（搭載部品）の組み合わせによって構成されている。電子機器を製造する場合、部品の納期やコストの関係で、同一機能を有する部品でも複数の仕入先から仕入れている場合がある。この場合、仕入先毎に使用している部品（アッセンブリである搭載部品を構成する部品）が異なることがあり、また、形状等も微妙に異なる場合もある。このような同等品といわれる搭載部品を電子機器に搭載した場合、所望スペック内の同一と見なせる性能を発揮することができるが、厳密には別の搭載部品を使用していることになる。また、同一の仕入先でも日々部品性能の改善や低コスト化が行われているので、やはり、仕入れの時期によって同一機能でも厳密には別の搭載部品を使用していることになる。
【０００３】
このように、厳密には別の搭載部品ではあるが、同一機能を有する部品を組み合わせて製造した電子機器は、外見上見分けることは困難である。一般に電子機器で不具合が発生する場合、特定の部品の不具合が原因となる。前述したように、同一機能を有する部品でも仕入先が異なったり、仕入れ時期が異なると同一機能の部品でも厳密には別種類の搭載部品であるため、不具合が発生する搭載部品は、ある特定の仕入先から仕入れた搭載部品やある時期に仕入れた搭載部品となる場合が多い。
【０００４】
このような場合、不具合が発生する電子機器を分類するためには、電子機器を分解し、搭載された部品のバージョン情報等を直接確認して、その部品の詳細データを得る必要があった。つまり、バージョン確認のために電子機器の分解が必要になってしまい、その作業が大変煩わしかった。
【０００５】
また、不具合が発生しない場合でも、例えば、スペアー部品を準備したい場合等は、この搭載部品を搭載する電子機器を接続する外部機器との相性等があるため好ましくは、同じ搭載部品を準備したい。そのため、搭載されているバージョン情報等の部品の詳細データを知る必要がある。この場合もやはり、電子機器の分解等が必要となり大変煩わしいものであった。
【０００６】
このような要求に対し、例えば、搭載部品内に専用のメモリを設け、製造メーカーや製造ロッド等を記憶させておき、必要に応じて専用メモリから必要なデータを読み出すことにより、搭載部品を搭載する電子機器を分解すること無く、搭載部品に関する詳細データを取得できるようにしているものがある（例えば、特許文献１）。
【０００７】
【特許文献１】
実開平１−７５４００号公報
【０００８】
【発明が解決しようとする課題】
しかし、バージョン情報等実質的に搭載部品の性能とは関係しないもののために、専用メモリを設けることは、搭載部品の構成を複雑にすると共に、搭載部品の低コスト化の妨げになるという問題がある。また、専用メモリから必要なデータを読み出すためのリーダやデータを書き込むライタ等が必要になると共に、扱いも煩雑になるという問題がある。
【０００９】
本発明の目的は、容易な構成により、かつ容易な作業により電子機器に搭載された搭載部品の識別を行うことのできる電子機器の搭載部品識別方法及び搭載部品の識別が可能な電子機器を提供することにある。
【００１０】
【課題を解決するための手段】
本発明は、外部機器との接続を行うインターフェース部を有する電子機器において、当該電子機器に搭載されている搭載部品の識別を行う識別方法であって、前記搭載部品のバージョン毎に異なる抵抗値の識別用抵抗を前記インターフェース部の機器機能上の空き端子に内部接続しておき、当該空き端子を介して前記識別用抵抗を含む識別回路を形成するテスタを接続するステップと、前記識別回路から出力される出力結果に基づいて、前記識別用抵抗の識別を行う抵抗識別ステップと、前記抵抗識別結果に基づいて、前記搭載部品のバージョンを特定し搭載部品識別を行う部品識別ステップと、を含むことを特徴とする。
【００１１】
ここで、識別用抵抗は、例えば、一端を空き端子に接続し、他端を接地して設けてもよいし、複数の空き端子が存在する場合、両端を異なる空き端子に接続してもよい。
【００１２】
この構成によれば、インターフェース部の機器機能上の空き端子に内部接続された抵抗を用いて、テスタの識別回路を形成する。そして、その識別回路により識別用抵抗の種類を識別するのみで、搭載機器のバージョン情報を認識することができる。
【００１３】
本発明は、上記構成において、前記識別用抵抗が接続された空き端子が複数存在する場合、前記抵抗識別ステップで得られる複数の抵抗の組み合わせに基づき、前記部品識別ステップは搭載部品識別を行うことを特徴とする。
【００１４】
この構成によれば、複数の抵抗の組み合わせにより、搭載部品の識別数を容易に増加させることができる。
【００１５】
本発明は、上記構成において、前記部品識別ステップは、搭載部品毎に識別結果の提示を行うことを特徴とする。
【００１６】
例えば、判別された抵抗に基づき、特定のＬＥＤを発光させたり、特定のビープ音を発生させたり、特定のメッセージを提示させることにより、容易かつ適切な搭載部品の識別を行うことができる。
【００１７】
本発明は、外部機器との接続を行うインターフェース部を有する電子機器において、前記インターフェース部の機器機能上の空き端子に前記搭載部品のバージョン毎に異なる抵抗値の識別用抵抗が内部接続されていることを特徴とする。
【００１８】
この構成によれば、インターフェース部の機器機能上の空き端子を用いて、搭載機器のバージョン情報を容易に電子機器に持たせることができる、また、インターフェース部を介して容易に抵抗の種類を認識して搭載機器のバージョン情報を得ることができる。
【００１９】
本発明は、上記構成において、複数の識別用抵抗の組み合わせにより搭載部品のバージョンを示すことを特徴とする。
【００２０】
この構成によれば、複数の抵抗の組み合わせにより、搭載部品の識別数を容易に増加させることができる。
【００２１】
【発明の実施の形態】
以下、図面に基づき本発明の実施の形態（以下、実施形態という）について説明する。
【００２２】
図１には、本実施形態の搭載部品識別方法を適用する電子機器の一例として、パーソナルコンピュータ（外部機器）等に用いる内蔵型のＦＤＤドライブ１０の一般的な外観が示されている。図１（ａ）は、ＦＤＤドライブ１０の正面図であり、図１（ｂ）は背面図である。ＦＤＤドライブ１０の正面には、図１（ａ）に示すように、ＦＤＤを挿入する挿入口１２、ＦＤＤのイジェクトボタン１４、ＦＤＤが読み書き動作を行っていることを示すインジケータ等が設けられている。一方、背面には、図１（ｂ）に示すように、データ転送用のケーブルを接続するインターフェース部１８、電源ケーブルを接続する電源コネクタ２０等が配置されている。なお、インターフェース部１８や電源コネクタ２０はＦＤＤドライブ１０に搭載される回路基板（ＰＣＢＡ：不図示）上に電気的に接続固定されている。
【００２３】
ここで、ＦＤＤドライブ１０のインターフェース部１８は、データ送受用に複数の端子ピンで構成されているが、高さが１インチ（２．５４ｃｍ）タイプのＦＤＤドライブで、通常３４ピン、高さが０．５インチ（１．２７ｃｍ）タイプのＦＤＤドライブで２６ピンで構成されている。図１（ｂ）には、３４ピンタイプが示されている。そして、３４ピンタイプインターフェースでは、通常、１，３，５，６番ピンが未使用（ＦＤＤドライブ１０の機能上使用しない）の空き端子（オープン）になっている。また、２６ピンタイプインターフェースでは、７番ピンが未使用の空き端子になっている。ただし、２６ピンタイプインターフェースの空き端子は機種により異なる場合もある。
【００２４】
前述したように、ＦＤＤドライブ１０においても、搭載されている搭載部品（例えば回路基板）は、納期やコストの関係で、同一機能を有する部品でも複数の仕入先から仕入れている。そのため、同じ機能を有し、ＦＤＤドライブ１０に組みつけることができても、搭載部品を構成している各構成部品が異なったり、接続する外部機器との相性が微妙にずれたりする場合がある。このような状況において、ＦＤＤドライブ１０に実際搭載されている搭載部品のスペア部品を準備したり、仕様書を作成したりする場合には、搭載部品の詳細な情報が必要になる。搭載部品の詳細情報とは、例えば、その搭載部品毎に割り当てられるバージョン情報である。通常、バージョン情報は、記号や英数字等の羅列で搭載部品に表記され、それ自体が機種や品番の他に、製造年月日や製造ライン、ロッドナンバー、使用した構成部品等を示す。また、単にバージョンの種別のみが示され、別途作成されているバージョン対応表等により、機種や品番、製造年月日や製造ライン、ロッドナンバー、使用した構成部品等の詳細を引き当てるようにしたものもある。
【００２５】
本実施形態においては、上述のバージョン情報を表現する手段として、前記空き端子にバージョン毎に異なる抵抗値の識別用抵抗を割り当て、内部接続しておき、そして外部よりこの識別用抵抗の識別を行うことにより、バージョン情報の認識を行うようにしている。
【００２６】
図２には、３４ピンタイプのインターフェース部１８を有する回路基板２２を内蔵したＦＤＤドライブ１０の例が示されている。前述したように、３４ピンタイプの場合、１，３，５，６番ピンが空き端子である。従って、１番ピンであるピン１８ａ１と、３番ピンであるピン１８ａ３との間に、当該回路基板２２のバージョンに応じた抵抗値の抵抗Ｒを内部接続する。前述したように、空き端子は、ＦＤＤドライブ１０において、その機能上未使用の端子であるため、この空き端子に抵抗Ｒを接続してもＦＤＤドライブ１０の機能に何ら干渉することはない。
【００２７】
また、図２には、バーション識別用の抵抗Ｒの識別を行い、搭載部品のバーションの識別を行うテスタ２４の概念構成も示されている。テスタ２４は、インターフェース部１８の例えばピン１８ａ１及びピン１８ａ３に接触可能な接触子２４ａ，２４ｂを両端に有するオープン回路２６を含んでいる。このオープン回路２６には、内部抵抗Ｒ１及び電源２８が直列につながれている。従って、接触子２４ａ，２４ｂをピン１８ａ１及びピン１８ａ３にそれぞれ接続することにより、識別用の抵抗Ｒを含む閉じた識別回路を形成することになる。また、このテスタ２４には、接触子２４ｂと内部抵抗Ｒ１の間に、コンパレータ３０が直列に接続されたＬＥＤ３２が複数組（図１の場合、一例として、３０ａ−３２ａ、３０ｂ−３２ｂ，３０ｃ−３２ｃの３組）が並列に接続されている。コンパレータ３０ａ〜３０ｃの基準電圧は個々に異なっている。図２から明らかなように、回路基板２２側にバージョンに応じて接続される異なる抵抗値の抵抗Ｒが接続されている。そして、テスタ２４の接続を行うと、抵抗Ｒを含む識別回路が形成され、その場合にＲ，Ｒ１の分圧で図２中点Ａにおける電圧が変化する。コンパレータ３０ａ〜３０ｃは個々に基準電圧が異なっているので、回路基板２２に内部接続された抵抗Ｒに応じて、ＬＥＤ３２ａ〜３２ｃのいずれかが点灯する。
【００２８】
すなわち、どのＬＥＤ３２ａ〜３２ｃが点灯するかによって、抵抗Ｒを判別することができる。そして、別途作成しておいた抵抗Ｒと搭載部品のバージョン情報とを関連付ける対応表等を参照することにより、ＦＤＤドライブ１０を分解することなく、搭載部品のバージョン情報を容易に認識することができる。
【００２９】
図３には、２６ピンタイプのインターフェース部１８を有する回路基板２２を内蔵したＦＤＤドライブ１０を用いた例が示されている。前述したように、２６ピンタイプの場合、空き端子は、７番ピンであるピン１８ａ７のみである。従って、この場合、回路基板２２に内部接続するバージョン識別用の抵抗Ｒは、一端をピン１８ａ７に接続し、他端を接地している。他方、テスタ３４は、接触子３４ａと、内部抵抗Ｒ１、電源２８が直列に接続され、端部が接地されている。そして、接触子３４ａと内部抵抗Ｒ１との間の電圧を測定する。この場合も、回路基板２２側に接続されたバージョン毎に異なる抵抗Ｒの抵抗値に応じて、電圧計３６で検出される電圧が異なるため、その結果から抵抗Ｒを識別することが可能となる。そして、別途作成しておいた電圧値（抵抗値）と搭載部品のバージョン情報とを関連付ける対応表等を参照することにより、ＦＤＤドライブ１０を分解することなく、搭載部品のバージョン情報を容易に認識することができる。
【００３０】
なお、抵抗Ｒが示す抵抗値は、回路基板のバージョン毎に個別に設定する必要があるが、各抵抗は安価であり、またその抵抗値の種類は多い。また、複数の抵抗を組み合わせることにより様々な合成抵抗値を得ることができる。また、接続方法も極めて容易かつシンプルであるため、識別対象のバージョンの数に容易に対応することができる。また、例えば、３４ピンタイプのインターフェース部１８の場合、空き端子が１，３，５，６番ピンである。そのため、図２において、選択するピンを、１番ピンと５番ピンにしたり、抵抗Ｒを１，３番ピンの間と５，６番ピンの間に設け、それぞれの抵抗値の組み合わせをバージョンに割り当てることにより、容易に割り当てバージョン数の増加を行うことができる。この場合、１，３番ピンの間と５，６番ピンの間の抵抗Ｒは同じ抵抗値のものや異なる抵抗値のものにすることよりさらに識別の種類を増加させることができる。
【００３１】
また、図２の例では、点Ａにおける電圧により、ＬＥＤ３２を発光させる例を示したが、ＬＥＤ３２の代わりにブザー等を用いて、異なる種類のビープ音を発生させたり、異なる音を発生させてもよい。また、特定された搭載機器のバージョンに基づいて、その詳細情報をディスプレイ等に表示するようにしてもよい。
【００３２】
なお、本実施形態では、電子機器の一例としてＦＤＤドライブ１０を示したが、空き端子を有するインターフェース部１８を含む回路基板を搭載する電子機器であれば、任意の電子機器に適用可能であり、本実施形態と同様に、電子機器を分解すること無く、また、搭載部品の構成を煩雑にすることなく、搭載部品のバージョン情報を容易かつ低コストで電子機器に持たせることが可能であり、またそのバージョンの認識を容易に行うことができる。
【００３３】
【発明の効果】
以上説明したように、本発明によれば、電子機器のインターフェース部の機器機能上の空き端子に内部接続されたバージョン毎に異なる識別用の抵抗を用いて、電子機器に搭載された搭載部品の識別回路を形成する。そして、その識別用抵抗を識別することにより、搭載機器のバージョン情報を認識することが可能になり、電子機器を分解すること無く、また、搭載部品の構成を煩雑にすることなく、搭載部品のバージョン情報を容易かつ低コストで電子機器に持たせることが可能であり、またそのバージョンの認識を容易に行うことができる。
【図面の簡単な説明】
【図１】ＦＤＤドライブの一般的な外観形状を説明する説明図である。
【図２】本実施形態に係る搭載部品識別方法を実現する３４ピンタイプのインターフェース部の構成及び識別に用いるテスタの概略構成を説明する説明図である。
【図３】本実施形態に係る搭載部品識別方法を実現する２６ピンタイプのインターフェース部の構成及び識別に用いるテスタの概略構成を説明する説明図である。
【符号の説明】
１０  ＦＤＤドライブ、１２  挿入口、１４  イジェクトボタン、１８  インターフェース部、１８ａ  ピン、１８ａ１    １番ピン、１８ａ３    ３番ピン、１８ａ７    ７番ピン、２０  電源コネクタ、２２  回路基板、２４，３４  テスタ、２４ａ，２４ｂ，３４ａ  接触子、２６  オープン回路、２８  電源、３０，３０ａ〜３０ｃ  コンパレータ、３２，３２ａ〜３２ｃ  ＬＥＤ、３６  電圧計、Ｒ  抵抗、Ｒ１    内部抵抗。
【図１】
2005038492.tif 000003
【図２】
2005038492.tif 000004
【図３】
2005038492.tif 000005